(57)【要約】【課題】  容易且つ迅速に構成できる隣設テント間の防雨構造を提供する。【解決手段】  隣のテントとの対向面の両端部にそれぞれ柱部材（１ａ、２ａ、１ｂ、２ｂ）を有する少なくとも二つのテント（Ａ、Ｂ）と、略四隅部に前記それぞれの柱部材（１ａ、２ａ、１ｂ、２ｂ）に対して脱着自在の固定部材（６ａ、７ａ、６ｂ、７ｂ）が設けられて幅方向に二つ折りされて樋状部（４）に形成される横長の防水性シート（５）とからなる。好ましくは、前記樋状部（４）の傾斜下端部に排水ホース（１１）が設けられ、さらに前記樋状部（４）の略中央部に該樋状部（４）をテントフレーム（８）に支持するための固定部材（１２ａ、１２ｂ）を設ける。【選択図】図２
2017020247.tif 000002
【特許請求の範囲】
【請求項１】
隣のテントとの対向面の両端部にそれぞれ柱部材を有する少なくとも二つのテントと、略四隅部に前記それぞれの柱部材に対して脱着自在の固定部材が設けられて幅方向に二つ折りにして樋状部に形成される横長の防水性シートと、からなることを特徴とする隣設テント間の防雨構造。
【請求項２】
樋状部の傾斜下端部に排水ホースを設けたことを特徴とする請求項１に記載の隣設テント間の防雨構造。
【請求項３】
樋状部の略中央部に該樋状部をテントフレームに支持するための固定部材を設けたことを特徴とする請求項１又は２に記載の隣設テント間の防雨構造。
【請求項４】
固定部材が面ファスナーであることを特徴とする請求項１、２又は３に記載の隣設テント間の防雨構造。
【発明の詳細な説明】
【技術分野】
【０００１】
本発明は、雨よけや日よけに使用されるテントに関し、詳しくは、隣設テント間の防雨構造に関する。
【背景技術】
【０００２】
従来、テントの一種として、収縮状態のテントフレームを伸長操作するだけで組み立てることができる折畳み式のテントが知られている（特許文献１等参照。）この折畳み式のテントは、折畳み式のテントフレームに対して予めテントシートが一体化されたものである。  
【０００３】
前記従来のテントのテントフレームは、柱部材と、二本の棒材をＸ字状に枢支してなる開閉自在なシザー組立体を関節部を介して枢支連結した伸縮フレームと、前記柱部材で囲まれる空間内に配設されるトップ柱と、二本の棒材をＸ字状に枢支してなる開閉可能なシザー組立体を枢支連結した伸縮自在なトップ柱支持フレームと、を備える。  
【０００４】
前記柱部材の上部同士が前記伸縮フレームで連結され、前記関節部と前記トップ柱とが前記トップ柱支持フレームで連結される。そして、前記伸縮フレームの伸縮操作により、前記トップ柱支持フレームの伸長と、前記トップ柱の上昇と、前記柱部材の四方への分散とが同時に起こり、テントフレームを簡単に展開状態（設営状態）にすることができる。一方、前記伸縮フレームの収縮操作により、前記トップ柱支持フレームの収縮と、前記トップ柱の下降と、前記柱部材の集合とが同時に起こり、テントフレームを簡単に収縮状態（収納状態）にすることができる。
【先行技術文献】
【特許文献】
【０００５】
【特許文献１】登録実用新案第３１８６３９１号公報
【発明の概要】
【発明が解決しようとする課題】
【０００６】
前記折畳み式等のテントは、運動会や祭等において、日よけ、雨よけのために野外で使用される。しかし、雨天での使用では、雨水がテントシートに上面に沿って流れて該テントシートの周縁から落下して内部にいる人に当たり、また、地面から跳ねかえって足元を汚すことなどの問題があった。前記テントは収容人員、場所等の用途に対応する広さを選択して使用されている。  
【０００７】
しかし、広さが足りない場合には複数のテントを隣合わせて隣設して使用される。その場合に、雨が降ると隣設テントの間に雨水が落下して人に当たり、地面から跳ねかえってテント内部を汚すとともに、両テントの間を行き来する人及び作業に障害が生じるという問題があった。  
【０００８】
本発明は前記事情に鑑み、隣設テント間の防雨構造を提供することを目的とする。さらに、本発明の隣設テント間の防雨構造は、隣設する両テントの設置時に構成してもよいが、雨が降り始めた時にも容易且つ迅速に構成できることを特徴とする。
【課題を解決するための手段】
【０００９】
前記目的達成のために、本発明に係る隣設テント間の防雨構造は、隣のテントとの対向面の両端部にそれぞれ柱部材を有する少なくとも二つのテントと、略四隅部に前記のそれぞれの柱部材に対して脱着自在の固定部材が設けられて幅方向に二つ折りにして樋状部に形成される横長の防水性シートと、からなることを特徴とする（請求項１）。  
【００１０】
前記構成の本発明では、横長の防水性シートの略四隅部に設けられた脱着自在の固定部材が隣設テントとの対向面にあるそれぞれの柱部材に固定される。具体的には、防水性シートの片側の二つの固定部材が一方のテントＡの対向面にある両端部の柱部材にそれぞれ固定される。
【００１１】
同時に、横長の防水性シートの反対側の二つの固定部材が他方のテントＢの対向面にある両端部の柱部材に固定されて樋状部が形成され、同時にテントＡ、Ｂ間に張り渡される。  
【００１２】
そして前記樋状部の上部に前記テントＡ及びテントＢを構成しているテントシートの下端部が垂下させられる。その結果、雨天時にテントＡ、Ｂ間に落下する雨水が前記樋状部に集められてテント外に排出させられる。  
【００１３】
なお、前記樋状部は、前記テントＡ及びテントＢのテントシートの下端部を受け入れる高さに柱部材によって支持される。また、前記樋状部は、予め、横長の防水性シートの幅に必要とする緩みを持たせておくことにより前記柱部材の間に形成される。さらに、前記樋状部は前記防水性シートの取り付け時にその底部が傾斜させられる。  
【００１４】
本発明の一実施例に係る隣設テント間の防雨構造は、樋状部の傾斜下端部に排水ホースを設けたことを特徴とする（請求項２）。この実施例よれば、樋状部からの雨水を地面に落下飛散させることなく排水ホースにより地面に案内することができる。  
【００１５】
さらに、本発明の一実施例に係る隣設テント間の防雨構造は、樋状部の略中央部に該樋状部をテントフレーム側に支持するための固定部材を設けたことを特徴とする（請求項３）。この実施例によれば、樋状部の略中央部がテントフレーム側に支持されて樋状部の中央部の垂れ下がりが防止されて雨水を迅速に排水することができる。  
【００１６】
本発明の一実施例に係る隣設テント間の防雨構造は、固定部材を面ファスナーとしたことを特徴とする（請求項４）。この実施例によれば、前記柱部材に対する防水シートの取付け及び取り外しをワンタッチで行なうことができる。
【発明の効果】
【００１７】
本発明によれば、隣設テントの間に雨水が落下することを防止でき、両テント間を行き来する人及び作業に障害を生じることが防止される。さらに本発明は、隣設テントの設置時に予め構成してもよいが、雨が降り始めた時にも容易且つ迅速に構成することができる。
【図面の簡単な説明】
【００１８】
【図１】本発明の実施形態に係る隣設テント間の防雨構造の配置箇所を示す正面図である。
【図２】図１の要部拡大図である。
【図３】樋状部の設置状態を示す側面図である。
【図４】図３の樋状部を形成する防水性シートの展開図である。
【図５】他の樋状部の設置状態を示す側面図である。
【図６】他の樋状部の設置状態を示す側面図である。
【発明を実施するための形態】
【００１９】
以下、本発明の実施の形態に係る隣設テント間の防雨構造の一実施例を図面を参照して説明する。  
【００２０】
図１には、テントＡとテントＢが間隔Ｓを介して対向設置されている。本発明の隣設テント間の防雨構造は、前記間隔Ｓの上部且つ前後方向に構成される（同図円部参照）。  
【００２１】
その詳細を図２に示す。図２において、１ａはテントＡの前側の柱部材、２ａはテントＢの前側の柱部材である。また、３はポリエステル、樹脂、布製等のテントシート、４は後に詳細を述べる横長の防水性シート５を幅方向に二つ折りして構成された樋状部、６ａ及び７ａは前記横長の防水性シート５の略四隅部に設けられて前記柱部材１ａ及び柱部材２ａに取り付けられた固定部材、Ｗは雨水である。  
【００２２】
図３に、両テントＡ、Ｂの隣接面に設けられた防水性シート５からなる樋状部４の一例を示す。図中、１ｂ（２ｂ）はそれぞれのテントＡ（Ｂ）の後側の柱部材である。また、８は二本の棒材をＸ字状に枢支してなる開閉自在のシザー組立体９を関節部１０を介して枢支連結したテントフレームである。  
【００２３】
図４に横長の防水性シート５の展開図を示す。該防水シート５にはその略四隅部に、テントＡ及びＢの対向面の両端部にあるそれぞれの柱部材１ａ、２ａ及び１ｂ、２ｂに対して脱着自在の固定部材が設けられる。具体的には、前記の固定部材６ａがテントＡの前側の柱部材１ａに取り付けられ、固定部材７ａがテントＢの前側の柱部材２ａに取り付けられる。  
【００２４】
同時に、固定部材６ｂがテントＡの後側の柱部材１ｂに取り付けられ、固定部材７ｂが前記テントＢの後側の柱部材２ｂに取り付けられて樋状部４が形成される。さらに、樋状部４の傾斜下端部に排水ホース１１が設けられる。図中、１３は排水ホース１１の押さえである。  
【００２５】
さらに好ましくは、前記樋状部４（防水性シート５）の略中央部には前記テントフレーム８に樋状部４を支持するための固定部材１２ａ，１２ｂが設けられる。  
【００２６】
図面実施例では、前記固定部材６ａ、７ａ、６ｂ、７ｂ、１２ａ、１２ｂとしてそれぞれフック側とループ側を一対とした脱着の容易な面ファスナーを開示している。しかし、前記固定部材は前記面ファスナーに限らず柱部材に樋状部を脱着自在バンド状、紐状、その他のものであってもよい。さらに前記各固定部材は樋状部４を柱部材間に緊張させて支持可能性であることが必要である。  
【００２７】
図５は、他のテント（仮に中型テント）に樋状部４を設けた実施例である。また、図６には、さらに他のテント（仮に大型テント）に樋状部４を設けた実施例を示す。なお、これらの実施例の符号は前記図３の実施例と同様である。  
【００２８】
これらの実施例が前記図３の実施例と異なる点は雨水をテントの前後に振り分けて排水している点である。この構成は樋状部４が比較的長さを有する場合に樋状部の中途が垂れ下がり雨水が滞留することが防止できるとともに排水を効率よく行なうことができる。  
【符号の説明】
【００２９】
１ａ、２ａ、１ｂ、２ｂ・・・柱部材６ａ、７ａ、６ｂ、７ｂ、１２ａ、１２ｂ・・・固定部材４・・・樋状部５・・・防水性シート８・・・テントフレーム１１・・・排水ホース
【図１】
2017020247.tif 000003
【図２】
2017020247.tif 000004
【図３】
2017020247.tif 000005
【図４】
2017020247.tif 000006
【図５】
2017020247.tif 000007
【図６】
2017020247.tif 000008